(57)【要約】      （修正有）【課題】カード会社のシステムに改変を加えることなく、電子決済に際し企業横断的なポイント付与サービス提供可能なシステムを実現する。【解決手段】決済サーバ１４は、決済端末２０から決済依頼電文が送信された場合に、クレジットカード決済システム２４に決済を依頼すると共に、ポイント管理サーバ８２に決済端末ＩＤ、カード情報及び決済金額を送信する。ポイント管理サーバ８２は、決済端末IDに基づいて対応の地域を特定する処理と、カード情報に基づいて対応する会員の属性を特定する処理と、会員の属性、現在日時、地域に基づいて該当のキャンペーン情報を特定する処理と、決済金額に基づいて発生ポイント数を特定する処理と、発生ポイント数に対応したマイナスの決済金額を特定する処理と、決済サーバ14にマイナスの決済を依頼する処理を実行する。【選択図】図８
2013246608.tif 000002
【特許請求の範囲】
【請求項１】
複数の決済端末と接続された決済サーバと、
この決済サーバと接続されたポイント管理サーバとを備えた電子決済におけるポイント付与システムであって、
上記ポイント管理サーバは、会員の属性情報及びカード情報を会員IDに関連付けて格納しておく会員情報記憶部と、
会員の特定の属性、有効期間、決済端末の特定の属性、の中の少なくとも一つからなる適用条件と、決済金額と発生ポイントとの換算比率を対にしたキャンペーン情報を格納しておくキャンペーン情報記憶部と、
各決済端末の属性情報を決済端末IDに関連付けて格納しておく決済端末情報記憶部とを備え、
上記決済サーバは、何れかの決済端末から、決済金額情報と、決済カードから読み取ったカード情報と、決済端末IDを含む決済依頼電文が送信された場合に、カード情報及び決済金額情報を対応のカード会社が運営するカード決済システムに送信し、決済を依頼する処理と、
当該カード決済システムから決済完了の電文が送信された場合に、上記ポイント管理サーバに決済端末ID、カード情報及び決済金額を送信する処理を実行し、
上記ポイント管理サーバは、決済端末IDをキーに上記決済端末情報記憶部を検索し、決済端末の属性を特定する処理と、
カード情報をキーに上記カード情報記憶部を検索し、対応する会員の属性を特定する処理と、
この会員の属性、現在日時、決済端末の属性の中の少なくとも一つをキーに上記キャンペーン情報記憶部を検索し、該当のキャンペーン情報を特定する処理と、
上記決済金額に当該キャンペーン情報の換算比率を適用することにより、発生ポイント数を特定する処理と、
この発生ポイント数に対応したマイナスの決済金額を特定する処理と、
上記決済サーバにカード情報及びマイナスの決済金額を送信し、決済を依頼する処理を実行し、
これを受けた上記決済サーバは、対応のカード決済システムにカード情報及びマイナスの決済金額情報を送信し、決済を依頼する処理を実行することを特徴とする電子決済におけるポイント付与システム。
【請求項２】
複数の決済端末と接続された決済サーバと、
この決済サーバと接続された減額管理サーバと、
この減額管理サーバと接続されたプロモーション管理サーバとを備えた電子決済におけるポイント付与システムであって、
上記プロモーション管理サーバは、会員の属性情報を会員IDに関連付けて格納しておく会員情報記憶部と、
会員の特定の属性、有効期間、決済端末の特定の属性、の中の少なくとも一つからなる適用条件と、決済金額と発生ポイントとの換算比率を対にしたキャンペーン情報を格納しておくキャンペーン情報記憶部と、
各決済端末の属性情報を決済端末IDに関連付けて格納しておく決済端末情報記憶部とを備え、
上記減額管理サーバは、会員のカード情報を、会員IDに関連付けて格納しておくカード情報記憶部を備え、
上記決済サーバは、何れかの決済端末から、決済金額情報と、決済カードから読み取ったカード情報と、決済端末IDを含む決済依頼電文が送信された場合に、カード情報及び決済金額情報を対応のカード会社が運営するカード決済システムに送信し、決済を依頼する処理と、
当該カード決済システムから決済完了の電文が送信された場合に、上記減額管理サーバに決済端末ID、カード情報及び決済金額を送信する処理を実行し、
上記減額管理サーバは、決済端末IDをキーに上記決済端末情報記憶部を検索し、決済端末の属性を特定する処理と、
カード情報をキーに上記カード情報記憶部を検索し、対応の会員IDを特定する処理と、
この会員ID、決済端末の属性、決済金額を上記プロモーション管理サーバに送信する処理を実行し、
上記プロモーション管理サーバは、会員IDをキーに上記会員情報記憶部を検索し、対応する会員の属性を特定する処理と、
この会員の属性、現在日時、決済端末の属性の中の少なくとも一つをキーに上記キャンペーン情報記憶部を検索し、該当のキャンペーン情報を特定する処理と、
上記決済金額に当該キャンペーン情報の換算比率を適用することにより、発生ポイント数を特定する処理と、
この発生ポイント数及び会員IDを、上記減額管理サーバに送信する処理を実行し、
これを受けた上記減算管理サーバは、この発生ポイント数に対応したマイナスの決済金額を特定する処理と、
上記カード情報記憶部を参照し、当該会員IDに関連付けられたカード情報を取得する処理と、
上記決済サーバにカード情報及びマイナスの決済金額を送信し、決済を依頼する処理を実行し、
これを受けた上記決済サーバは、対応のカード決済システムにカード情報及びマイナスの決済金額情報を送信し、決済を依頼する処理を実行することを特徴とする電子決済におけるポイント付与システム。
【発明の詳細な説明】
【技術分野】
【０００１】
この発明は、電子決済におけるポイント付与システムに係り、特に、ユーザがクレジットカード等の決済手段を介して商品・サービスの代金決済を行った場合に、決済金額に基づいて一定比率のポイントを付与すると共に、このポイント数に応じてカード会社による口座引落金額を減額させる機能を備えたシステムに関する。
【背景技術】
【０００２】
電子決済手段としてのクレジットカードや電子マネーカードが普及した結果、現在ではあらゆる商品やサービスの代金決済にこれらのカード類が利用されている。
【０００３】
このような電子決済に対応するために、以前は決済用のアプリケーションプログラムを内蔵した比較的高額の端末装置を各店舗に備え付ける必要があり、これが店舗側にとって大きな負担となっていた。
【０００４】
これに対し、非特許文献１に示すように、決済用のアプリケーションプログラムをサーバ側に集約させるクラウド型決済システムが登場したことにより、店舗側は単にカード情報の読み取りと送信に特化した比較的安価な端末装置を導入するだけでカード決済に対応可能となるため、今後ますますこれらの決済手段が拡大することが予想される。
【非特許文献１】クレジットカード、電子マネー対応のクラウド型決済システム  インターネットURL：http://ryutsuu.biz/it/d071424.html  検索日：２０１２年５月１４日
【発明の開示】
【発明が解決しようとする課題】
【０００５】
このように、クレジットカード等による電子決済が拡大するにつれて、複数店舗の集合体（商店街等）、あるいは各店舗が立地する地方自治体等は、電子決済に際し独自のインセンティブをユーザに提供することで、来店者の拡大を図りたいと望むようになってきた。
例えば、地域振興策の一環として、一定期間内に当該地域を訪れて買い物をし、クレジットカード等で電子決済したユーザに対しては、購入金額の数％分をキャッシュバックするキャンペーンを展開することで、来訪者の拡大を企図する場合である。
【０００６】
もちろん、これまでも各クレジットカード会社や電子マネー会社は、購入金額に応じたポイントを付与するサービスを実施してきたが、これはあくまでも各カード会社単位で展開される会員の囲い込み策であり、クレジットカード会社や電子マネー会社の垣根を越えて地域密着型のサービスをユーザに提供することは想定外であった。
【０００７】
このため、現状のシステム構成を前提に企業横断的なサービスを展開しようとすれば、主催者は世界中のクレジットカード会社や電子マネー会社と個別に交渉し、特定の期間、特定の地域に所在する店舗からの売上金額については特定比率の割引を適用するというスキームに合意してもらった上で、各社のホストコンピュータに時限的な修正を施す必要が生じ、事実上実現不可能であった。
【０００８】
この発明は、このような現状に鑑みて案出されたものであり、個々のクレジットカード会社や電子マネー会社と事前交渉することなく、従ってこれら企業のシステムに改変を加えることもなく、電子決済に際し企業横断的なポイント付与サービスをユーザに提供可能なシステムの提供を目的としている。
【課題を解決するための手段】
【０００９】
上記の目的を達成するため、請求項１に記載したポイント付与システムは、複数の決済端末と接続された決済サーバと、この決済サーバと接続されたポイント管理サーバとを備えた電子決済におけるポイント付与システムであって、上記ポイント管理サーバは、会員の属性情報及びカード情報を会員IDに関連付けて格納しておく会員情報記憶部と、会員の特定の属性、有効期間、決済端末の特定の属性、の中の少なくとも一つからなる適用条件と、決済金額と発生ポイントとの換算比率を対にしたキャンペーン情報を格納しておくキャンペーン情報記憶部と、各決済端末の属性情報を決済端末IDに関連付けて格納しておく決済端末情報記憶部とを備え、上記決済サーバは、何れかの決済端末から、決済金額情報と、決済カードから読み取ったカード情報と、決済端末IDを含む決済依頼電文が送信された場合に、カード情報及び決済金額情報を対応のカード会社が運営するカード決済システムに送信し、決済を依頼する処理と、当該カード決済システムから決済完了の電文が送信された場合に、上記ポイント管理サーバに決済端末ID、カード情報及び決済金額を送信する処理を実行し、上記ポイント管理サーバは、決済端末IDをキーに上記決済端末情報記憶部を検索し、決済端末の属性を特定する処理と、カード情報をキーに上記カード情報記憶部を検索し、対応する会員の属性を特定する処理と、この会員の属性、現在日時、決済端末の属性の中の少なくとも一つをキーに上記キャンペーン情報記憶部を検索し、該当のキャンペーン情報を特定する処理と、上記決済金額に当該キャンペーン情報の換算比率を適用することにより、発生ポイント数を特定する処理と、この発生ポイント数に対応したマイナスの決済金額を特定する処理と、上記決済サーバにカード情報及びマイナスの決済金額を送信し、決済を依頼する処理を実行し、これを受けた上記決済サーバは、対応のカード決済システムにカード情報及びマイナスの決済金額情報を送信し、決済を依頼する処理を実行することを特徴としている。
上記「決済端末の特定の属性」としては、例えば、決済端末の設置場所（住所や緯度・経度）、設置地域（都道府県や市町村等）、設置店舗ID、設置店舗名、設置店舗のチェーンID等が該当する。
【００１０】
請求項２に記載した電子決済におけるポイント付与システムは、複数の決済端末と接続された決済サーバと、この決済サーバと接続された減額管理サーバと、この減額管理サーバと接続されたプロモーション管理サーバとを備えた電子決済におけるポイント付与システムであって、上記プロモーション管理サーバは、会員の属性情報を会員IDに関連付けて格納しておく会員情報記憶部と、会員の特定の属性、有効期間、決済端末の特定の属性、の中の少なくとも一つからなる適用条件と、決済金額と発生ポイントとの換算比率を対にしたキャンペーン情報を格納しておくキャンペーン情報記憶部と、各決済端末の属性情報を決済端末IDに関連付けて格納しておく決済端末情報記憶部とを備え、上記減額管理サーバは、会員のカード情報を、会員IDに関連付けて格納しておくカード情報記憶部を備え、上記決済サーバは、何れかの決済端末から、決済金額情報と、決済カードから読み取ったカード情報と、決済端末IDを含む決済依頼電文が送信された場合に、カード情報及び決済金額情報を対応のカード会社が運営するカード決済システムに送信し、決済を依頼する処理と、当該カード決済システムから決済完了の電文が送信された場合に、上記減額管理サーバに決済端末ID、カード情報及び決済金額を送信する処理を実行し、上記減額管理サーバは、決済端末IDをキーに上記決済端末情報記憶部を検索し、決済端末の属性を特定する処理と、カード情報をキーに上記カード情報記憶部を検索し、対応の会員IDを特定する処理と、この会員ID、決済端末の属性、決済金額を上記プロモーション管理サーバに送信する処理を実行し、上記プロモーション管理サーバは、会員IDをキーに上記会員情報記憶部を検索し、対応する会員の属性を特定する処理と、この会員の属性、現在日時、決済端末の属性の中の少なくとも一つをキーに上記キャンペーン情報記憶部を検索し、該当のキャンペーン情報を特定する処理と、上記決済金額に当該キャンペーン情報の換算比率を適用することにより、発生ポイント数を特定する処理と、この発生ポイント数及び会員IDを、上記減額管理サーバに送信する処理を実行し、これを受けた上記減算管理サーバは、この発生ポイント数に対応したマイナスの決済金額を特定する処理と、上記カード情報記憶部を参照し、当該会員IDに関連付けられたカード情報を取得する処理と、上記決済サーバにカード情報及びマイナスの決済金額を送信し、決済を依頼する処理を実行し、これを受けた上記決済サーバは、対応のカード決済システムにカード情報及びマイナスの決済金額情報を送信し、決済を依頼する処理を実行することを特徴としている。
上記「決済端末の特定の属性」としては、例えば、決済端末の設置場所（住所や緯度・経度）、設置地域（都道府県や市町村等）、設置店舗ID、設置店舗名、設置店舗のチェーンID等が該当する。
【発明の効果】
【００１１】
この発明に係る電子決済におけるポイント付与システムによれば、予めキャンペーン情報記憶部にポイント付与の適用条件と、決済金額／発生ポイントの換算比率との組合せからなるキャンペーン情報を登録しておけば、カード発行会社の如何を問わず、会員の属性や決済時期、決済端末の属性（設置場所、設置地域、設置店舗名等）に基づいて、自動的に決済金額に応じたポイントの付与と、カード会社の決済システムに対する減額依頼が実現され、キャンペーンの主催者は事前にカード会社と個別交渉したり、カード会社側のシステム構成に変更を加える必要が一切ないため、多数のカード会社を横断するようなポイント付与サービスを会員に対して柔軟に提供することが可能となる。
【発明を実施するための最良の形態】
【００１２】
図１は、この発明に係る第１のポイント付与システム10の全体構成を示すものであり、クラウド型決済システムの決済センター12内に配置された決済サーバ14及び減額管理サーバ16と、プロモーション管理サーバ18と、各加盟店内に配置された複数の決済端末20と、各ユーザが操作する複数のクライアント端末22と、各クレジットカード会社が運営するクレジットカード決済システム24と、各電子マネー会社が運営する電子マネーカード決済システム26とを備えている。
【００１３】
決済サーバ14及び減額管理サーバ16は、LAN等の通信ネットワークを介して接続されている。
【００１４】
各決済端末20は、インターネット等の通信ネットワーク28を介して、決済サーバ14に接続されている。決済端末20は、少なくとも顧客のクレジットカードや電子マネーカードに格納されたカード情報（カード番号、有効期限、カード名義等）を読み取り、決済情報と共に決済サーバ14に送信する機能を備えている。
【００１５】
各クレジットカード決済システム24及び電子マネーカード決済システム26は、決済ネットワーク30を介して、決済サーバ14と接続されている。
【００１６】
プロモーション管理サーバ18は、専用回線等の通信ネットワーク32を介して減額管理サーバ16と接続されると共に、インターネット等の通信ネットワーク28を介して、不特定多数のユーザが操作するクライアント端末22と接続される。
またプロモーション管理サーバ18は、決済ネットワーク30を介して、各クレジットカード決済システム24及び電子マネーカード決済システム26と接続されている。
【００１７】
クライアント端末22は、PCやスマートフォン、タブレットPC等、インターネット接続機能及びWebブラウザプログラムを搭載したコンピュータにより構成される。
【００１８】
図２は、プロモーション管理サーバ18と減額管理サーバ16の機能構成を示すブロック図である。
【００１９】
まず、プロモーション管理サーバ18は、会員情報登録部34と、会員情報記憶部36と、キャンペーン情報記憶部38と、ポイント管理部40と、ポイント情報記憶部42を備えている。
【００２０】
上記の会員情報登録部34及びポイント管理部40は、プロモーション管理サーバ18のCPUが、OS及び専用のアプリケーションプログラムに従って動作することにより、実現される。
【００２１】
また、上記の会員情報記憶部36、キャンペーン情報記憶部38及びポイント情報記憶部42は、プロモーション管理サーバ18の外部記憶装置内に設けられている。
【００２２】
減額管理サーバ16は、カード情報追加部44と、カード情報記憶部46と、決済通知部48と、決済端末情報記憶部49と、減算金額情報追加部50と、減算金額情報記憶部52と、減算金額情報通知部54とを備えている。
【００２３】
上記のカード情報追加部44、決済通知部48、減算金額情報追加部50及び減算金額情報通知部54は、減額管理サーバ16のCPUが、OS及び専用のアプリケーションプログラムに従って動作することにより、実現される。
【００２４】
また、上記のカード情報記憶部46、決済端末情報記憶部49及び減算金額情報記憶部52は、減額管理サーバ16の外部記憶装置内に設けられている。
上記決済端末情報記憶部49には、少なくとも各決済端末20が配置された加盟店の店舗IDと、加盟店名と、所在地域（住所、郵便番号、都道府県名や市町村名、電話番号等）とが、決済端末IDに関連付けて格納されている。
【００２５】
プロモーション管理サーバ18のキャンペーン情報記憶部38には、電子決済に基づくポイント付与の適用条件と、決済金額と発生ポイント数との換算比率を規定したキャンペーン情報が、キャンペーンID毎に複数格納されている。
例えば、沖縄県主催の観光促進キャンペーンとして、以下のキャンペーン情報が格納されている。
(1) 適用会員属性：「中国国籍」を有する「60代以上」の「女性」
(2) 適用期間：2012年５月１日〜５月３０日
(3) 適用地域：沖縄県
(4) 決済金額／発生ポイント換算比率：100円／20ポイント
【００２６】
各キャンペーンの存在については、主催者のホームページで告知されることはもちろん、内外の旅行会社や航空会社のホームページ、各国の検索サイトやニュースサイトにおいてバナー広告が貼られており、これをユーザがクリックすると、プロモーション管理サーバ18の会員情報登録部34からクライアント端末22に新規会員登録用のフォームが送信され、ディスプレイに表示される。
【００２７】
図３に示すように、この新規会員登録用フォーム60には、メールアドレス入力欄61と、パスワード入力欄62と、氏名入力欄63と、性別入力欄64と、国籍入力欄65と、生年月日入力欄66と、カード番号入力欄67と、カード名義入力欄68と、有効期限入力欄69が設けられている。
【００２８】
これに対しユーザが、必要事項の入力を完了し、「登録」ボタン70をクリックすると、クライアント端末22からプロモーション管理サーバ18に、入力情報が送信される。
【００２９】
これを受けた会員情報登録部34は、カード番号、カード名義、有効期限からなるカード情報を対応のクレジットカード決済システム24に送信し、カードの有効性を照会する。
そして、クレジットカード決済システム24から「有効」との返信を受けた会員情報登録部34は、減額管理サーバ16に会員ID、カード番号、カード名義、有効期限を送信し、カード情報の追加を依頼する。会員IDは、会員情報登録部34によって採番されたユニークな識別コードである。
【００３０】
上記のカード情報を受けた減額管理サーバ16のカード情報追加部44は、これをカード情報記憶部46に格納する。
図４は、減額管理サーバ16のカード情報記憶部46に格納されたレコードのデータ構造を示しており、会員ID、カード番号、カード名義、有効期限、登録年月日のデータ項目を備えている。
【００３１】
減額管理サーバ16から会員情報の登録完了を示す電文が送信されると、プロモーション管理サーバ18の会員情報登録部34は、会員情報記憶部36に新規会員情報を格納する。
図５は、プロモーション管理サーバ18の会員情報記憶部36に格納されたレコードのデータ構造を示しており、会員ID、メールアドレス、パスワード、氏名、性別、国籍、生年月日、登録年月日のデータ項目を備えている。
会員情報登録部34は、減額管理サーバ16におけるカード情報の登録が完了した時点で、メモリ上からカード情報（カード番号、カード名義、有効期限）を消去するため、図示の通り、プロモーション管理サーバ18の会員情報記憶部36には、カード情報が保存されることはない。
【００３２】
つぎに、この第１のポイント付与システム10における決済時の処理手順について説明する。
まず、ユーザが決済端末20の設置された加盟店舗で商品を購入し、その代金の支払いに際して登録済みのクレジットカードを店員に提示すると、当該クレジットカードのカード情報（カード番号、カード名義、有効期間）が決済端末20によって読み込まれ、決済情報（決済ID、決済端末ID、決済金額、支払回数等）と共に決済サーバ14に送信される。
【００３３】
これを受信した決済サーバ14は、カード情報及び決済金額、支払回数を含む決済依頼電文を対応のクレジットカード決済システム24に送信する。
そして、クレジットカード決済システム24から「決済完了」の電文が送信されると、決済サーバ14は決済完了電文を決済端末20に返すと共に、減額管理サーバ16にも決済完了電文を送信する。
この決済完了電文には、上記カード情報及び決済情報が含まれている。
【００３４】
これを受けた決済通知部48は、当該決済完了電文に含まれるカード番号をキーにカード情報記憶部46を検索し、対応の会員IDを取得する。
また、上記決済完了電文に含まれる決済端末IDをキーに決済端末情報記憶部49を検索し、対応の所在地域及び店舗IDを取得する。
つぎに決済通知部48は、この会員IDと決済端末20の所在地域及び決済情報を、プロモーション管理サーバ18に送信する。
【００３５】
これを受けたポイント管理部40は、会員情報記憶部36を参照し、当該会員IDに関連付けられたユーザの属性（国籍、性別、生年月日）を取得する。
つぎにポイント管理部40は、キャンペーン情報記憶部38を参照し、今回の決済に適用可能なキャンペーンが存在しているか否かを判断する。
この際、ポイント管理部40は、各キャンペーン情報に設定された適用条件と、今回の決済に係る諸情報（会員の国籍、性別、生年月日から割り出した年齢、決済端末の所在地域等）とを比較することで、適用可能なキャンペーンを特定する。
【００３６】
この結果、適用可能なキャンペーン情報が登録されていた場合、ポイント管理部40は当該キャンペーン情報に規定された決済金額／ポイント換算比率に従い、今回の決済金額に応じたポイント数を算出する。
【００３７】
つぎにポイント管理部40は、ポイント情報記憶部42に必要情報を格納する。
図６は、ポイント情報記憶部42に格納されるレコードのデータ構造を示しており、会員ID、決済ID、決済端末ID、店舗ID、キャンペーンID、発生ポイント、発生年月日のデータ項目を備えている。
【００３８】
つぎにポイント管理部40は、減額管理サーバ16に対して、ポイント発生通知電文を送信する。このポイント発生通知電文には、少なくとも会員ID、決済ID、決済端末ID、店舗ID、キャンペーンID、発生ポイント、発生年月日のデータが含まれている。
【００３９】
これを受けた減額管理サーバ16の減算金額情報追加部50は、減算金額情報記憶部52に減算金額情報を格納する。
図７は、減算金額情報記憶部52に格納されるレコードのデータ構造を示しており、会員ID、決済ID、決済端末ID、店舗ID、キャンペーンID、減算金額、発生年月日のデータ項目を備えている。
ここで「減算金額」は、今回の決済に対して付与されたポイントを所定の変換比率で金額に換算したものであり、通常は「１ポイント＝−１円」となるが、他の変換比率を採用することもできる。
【００４０】
減算金額情報記憶部52に新たに減算金額情報が格納されると、減算金額情報通知部54が起動し、決済サーバ14に対して減算金額電文を送信する。
この減算金額電文には、減算金額の他に、減算金額情報通知部54がカード情報記憶部46から取得したカード情報（カード番号、カード名義、有効期限）が含まれている。
【００４１】
これを受けた決済サーバ14は、対応のクレジットカード決済システム24にカード情報及びマイナスの決済金額情報を含む決済依頼電文を送信する。
この結果、翌月、クレジットカード会社からユーザに送付される請求書においては、今回発生したポイントに対応する金額分の割引（減額）が適用されることとなる。
【００４２】
以上のように、このシステム10によれば、予めキャンペーン情報記憶部38にポイント付与の適用条件と、「決済金額／発生ポイント」の換算比率との組合せからなるキャンペーン情報を登録しておけば、カード発行会社の如何を問わず、会員の属性や決済時期、決済場所に基づいて、自動的に決済金額に応じたポイントの付与と、カード会社からユーザに対する請求額の減額が実現されるものであり、キャンペーンの主催者は事前にカード会社と個別交渉したり、カード会社側のシステム構成に変更を加える必要が一切ない。このため、多数のカード会社を横断するようなポイント付与サービスを、ユーザに対して柔軟に提供することが可能となる。
【００４３】
なお、カード会社からユーザへの請求額が減る分、カード会社から加盟店舗に対する分配金額も当然に減額されることになるが、これについては後で主催者が各店舗に補填すればよい。
すなわち、減額管理サーバ16の減算金額情報記憶部52に格納された各減算金額情報は、キャンペーンIDと店舗IDを備えているため、キャンペーン終了後にこれを集計することにより、各店舗に対する補填額を簡単に算出することが可能となる。
もちろん、キャンペーンによる減額分を主催者が補填する代わりに、各店舗がこれを負担することも当然に可能である。
【００４４】
上記においては、本願発明の機能構成が減額管理サーバ16とプロモーション管理サーバ18とに分割されている例を示したが、両者を一体化させることで、構成の簡素化を図ることもできる。
【００４５】
図８は、その具体例を示すものであり、この第２のポイント付与システム80は、第１のポイント付与システム10における減額管理サーバ16及びプロモーション管理サーバ18の代わりに、会員情報登録部34と、会員情報記憶部36と、キャンペーン情報記憶部38と、ポイント管理部40と、ポイント情報記憶部42と、決済端末情報記憶部49と、減算金額情報通知部54とを備えたポイント管理サーバ82を設けた点に特徴がある。
【００４６】
ポイント管理サーバ82の各機能構成部は、第１のポイント付与システム10における同名の機能構成部と実質的に等しい機能を発揮する。
ただし、会員情報記憶部36には、会員ID、メールアドレス、パスワード、氏名、性別、国籍、生年月日、登録年月日の他に、カード番号、カード名義、有効期限のデータ項目が設けられている。
【００４７】
つぎに、この第２のポイント付与システム80における決済時の処理手順について説明する。
まず、ユーザが決済端末20の設置された加盟店舗で商品を購入し、その代金の支払いに際して登録済みのクレジットカードを店員に提示すると、当該クレジットカードのカード情報（カード番号、カード名義、有効期間）が決済端末20によって読み込まれ、決済情報（決済ID、決済端末ID、決済金額、支払回数等）と共に決済サーバ14に送信される。
【００４８】
これを受信した決済サーバ14は、カード情報及び決済金額、支払回数を含む決済依頼電文を対応のクレジットカード決済システム24に送信する。
そして、クレジットカード決済システム24から「決済完了」の電文が送信されると、決済サーバ14は決済完了電文を決済端末20に返すと共に、ポイント管理サーバ82にも決済完了電文を送信する。
この決済完了電文には、上記カード情報及び決済情報が含まれている。
【００４９】
これを受けたポイント管理部40は、当該決済完了電文に含まれるカード番号をキーに会員情報記憶部36を検索し、当該カード番号に関連付けられたユーザの属性（国籍、性別、生年月日）を取得する。
つぎにポイント管理部40は、上記決済完了電文に含まれる決済端末IDをキーに決済端末情報記憶部49を検索し、対応の所在地域を取得する。
【００５０】
つぎにポイント管理部40は、キャンペーン情報記憶部38を参照し、今回の決済に適用可能なキャンペーンが存在しているか否かを判断する。
この際、ポイント管理部40は、各キャンペーン情報に設定された適用条件と、今回の決済に係る諸情報（会員の国籍、性別、生年月日から割り出した年齢、決済端末の所在地域等）とを比較することで、適用可能なキャンペーンを特定する。
【００５１】
この結果、適用可能なキャンペーン情報が登録されていた場合、ポイント管理部40は当該キャンペーン情報に規定された決済金額／ポイント換算比率に従い、今回の決済金額に応じたポイント数を決定する。
【００５２】
つぎにポイント管理部40は、ポイント情報記憶部42に、会員ID、決済ID、決済端末ID、店舗ID、キャンペーンID、発生ポイント、減算金額、発生年月日のデータ項目を備えた発生ポイント情報を格納する。
ここで「減算金額」は、上記と同様、今回の決済に対して付与されたポイントを所定の変換比率で金額に換算したものであり、通常は「１ポイント＝−１円」となるが、他の変換比率を採用することもできる。
【００５３】
ポイント情報記憶部42に新たな発生ポイント情報が格納されると、減算金額情報通知部54が起動し、決済サーバ14に対して減算金額電文を送信する。
この減算金額電文には、減算金額の他に、減算金額情報通知部54が会員情報記憶部36から取得したカード情報（カード番号、カード名義、有効期限）が含まれている。
【００５４】
これを受けた決済サーバ14は、対応のクレジットカード決済システム24にカード情報及びマイナスの決済金額情報を含む決済依頼電文を送信する。
この結果、翌月、クレジットカード会社からユーザに送付される請求書においては、今回発生したポイントに対応する金額分の割引（減額）が適用される。
【００５５】
上記においては、クレジットカードを用いた決済について例示したが、このシステム10は、電子マネーカードによる決済についても当然に適用可能である。
【００５６】
また、上記においては、会員の属性、適用期間及び決済端末20の所在地域に基づいてキャンペーン情報を検索する例を示したが、この発明はこれに限定されるものではない。
例えば、キャンペーン情報の適用条件の一つとして「店舗ID」または「店舗名」を設定しておくことで、該当の店舗内に設置された決済端末20から決済情報が入力された場合にのみ、ユーザに対するポイントの付与と減額処理が実行されるようにシステム10を制御することができる。
また、会員の属性や適用期間をキャンペーン情報の適用条件から除外することにより、ポイント付与の適用範囲を拡大してもよい。
【図面の簡単な説明】
【００５７】
【図１】この発明に係る電子決済における第１のポイント付与システムの全体構成を示す模式図である。
【図２】プロモーション管理サーバと減額管理サーバの機能構成を示すブロック図である。
【図３】新規会員登録用フォームを示す図である。
【図４】減額管理サーバのカード情報記憶部に格納されたレコードのデータ構造を示す図である。
【図５】プロモーション管理サーバの会員情報記憶部に格納されたレコードのデータ構造を示す図である。
【図６】プロモーション管理サーバのポイント情報記憶部に格納されたレコードのデータ構造を示す図である。
【図７】減額管理サーバの減算金額情報記憶部に格納されたレコードのデータ構造を示す図である。
【図８】電子決済における第２のポイント付与システムの機能構成を示すブロック図である。
【符号の説明】
【００５８】
10    第１のポイント付与システム
12    決済センター
14    決済サーバ
16    減額管理サーバ
18    プロモーション管理サーバ
20    決済端末
22    クライアント端末
24    クレジットカード決済システム
26    電子マネーカード決済システム
28    通信ネットワーク
30    決済ネットワーク
32    通信ネットワーク
34    会員情報登録部
36    会員情報記憶部
38    キャンペーン情報記憶部
40    ポイント管理部
42    ポイント情報記憶部
44    カード情報追加部
46    会員情報記憶部
48    決済通知部
50    減算金額情報追加部
52    減算金額情報記憶部
54    減算金額情報通知部
60    新規会員登録用フォーム
61    メールアドレス入力欄
62    パスワード入力欄
63    氏名入力欄
64    性別入力欄
65    国籍入力欄
66    生年月日入力欄
67    カード番号入力欄
68    カード名義入力欄
69    有効期限入力欄
70    「登録」ボタン
80    第２のポイント付与システム
82    ポイント管理サーバ
【図１】
2013246608.tif 000003
【図２】
2013246608.tif 000004
【図３】
2013246608.tif 000005
【図４】
2013246608.tif 000006
【図５】
2013246608.tif 000007
【図６】
2013246608.tif 000008
【図７】
2013246608.tif 000009
【図８】
2013246608.tif 000010